(57)【特許請求の範囲】
【請求項１】
背面が開口され、カメラを収納する防水パック本体と、
前記防水パック本体の背面を開閉するカバーであって、前記防水パック本体の背面の側部にヒンジを介して回動自在に配設され、閉成時に水密性をもたせるカバーと、
前記カバーの閉成時に該カバーをロックするロック手段と、
前記カメラの三脚ネジ穴と螺合するカメラ取付ネジを有し、該カメラ取付ネジを前記カメラの三脚ネジ穴に螺合させることにより、前記カメラが取り付けられるカメラ取付部材であって、前記防水パック本体内に配設されるとともに、一端が前記ヒンジの軸と平行な回転軸を中心として回動自在に支持されたカメラ取付部材と、
前記カバーが開放されると、前記カメラ取付部材が前記カバーと同一方向に回動して、該カメラ取付部材に取り付けられた前記カメラが前記防水パック本体内から突出するように前記カメラ取付部材を付勢する付勢手段と、
を備えたことを特徴とするカメラの防水パック。
【請求項２】
前記カメラ取付部材が、前記カメラの記録媒体の交換可能な位置、又は各種ケーブルのプラグの着脱可能な位置まで突出すると、該カメラ取付部材の突出を一旦停止させるストッパを有することを特徴とする請求項１に記載のカメラの防水パック。
【請求項３】
背面が開口され、カメラを収納する防水パック本体と、
前記防水パック本体の背面を開閉するカバーであって、前記防水パック本体の背面の側部にヒンジを介して回動自在に配設され、閉成時に水密性をもたせるカバーと、
前記カメラの三脚ネジ穴と螺合するカメラ取付ネジを有し、該カメラ取付ネジを前記カメラの三脚ネジ穴に螺合させることにより、前記カメラが取り付けられるカメラ取付部材であって、前記防水パック本体内に配設されるとともに、一端が前記ヒンジの軸と平行な回転軸を中心として回動自在に支持されたカメラ取付部材と、
前記カバーの閉成時に該カバーをロックするロック手段と、
前記カメラ取付部材と前記カバーとの間に設けられ、前記カバーが開放されると、該カバーの回動力を前記カメラ取付部材に伝達して該カメラ取付部材を前記カバーと同一方向に回動させるとともに、前記カバーの開放角度を規制するリンク機構と、
を備えたことを特徴とするカメラの防水パック。
【請求項４】
前記リンク機構は、一端が前記カバーに回動自在に連結された第１リンクの他端と、一端が前記カメラ取付部材に回動自在に連結された第２リンクの他端とを回動自在に連結して構成されることを特徴とする請求項３に記載のカメラの防水パック。
【請求項５】
前記リンク機構は、一端が前記カバーに回動自在に連結されたリンクと、前記カメラ取付部材に形成され、前記リンクの他端をガイドするガイド溝とで構成されることを特徴とする請求項３に記載のカメラの防水パック。
【請求項６】
前記カバーの１又は複数の回動位置でクリック係合するクリック機構を備えたことを特徴とする請求項１〜５のいずれか一に記載のカメラの防水パック。
【請求項７】
前記カバーの回動動作に対して所定の摩擦抵抗を有するフリクション手段を備えたことを特徴とする請求項１〜５のいずれか一に記載のカメラの防水パック。
【発明の詳細な説明】
【０００１】
【発明の属する技術分野】
本発明はカメラの防水パックに係り、特にデジタルカメラ、銀塩カメラ等を収納することにより全体として防水型カメラとして機能することができるカメラの防水パックに関する。
【０００２】
【従来の技術】
従来、この種の防水パックとしては、カメラを収納する防水パック本体と、この防水パック本体にバックル等の開閉機構によって取り付けられるカバーとから構成されたものがある。この防水パックにカメラを着脱する場合には、カバーの係合を外し、防水パック本体からカバーを完全に取り外すか、又はカバーを全開させて行っていた。
【０００３】
また、従来の防水パックは、カメラのメモリカード、フイルム等の記録媒体の交換時や、カメラのバッテリーの交換や充電時の操作性を考慮して構成されておらず、この種の操作は、カメラを防水パックから完全に取り出した状態で行っていた。
【０００４】
【発明が解決しようとする課題】
しかしながら、防水パック本体からカバーの係合を外し、カバーを完全に取り外すように構成された防水パックは、カバーの置き場所等を考慮しなければならず、屋外でカメラを防水パックに着脱するには適していない。また、防水パック本体とカバーとが分離しないように構成された防水パックも、カバーが防水パック本体に対して不安定な状態（ブラブラの状態）にあるため、カメラの着脱や、防水パック内のカメラの記録媒体の交換等を安定した状態で行うことができないという問題がある。
【０００５】
更に、カメラの記録媒体の交換や、カメラのバッテリーの交換や充電等を行う場合には、従来の防水パックは、カメラを防水パックから完全に取り出す必要があるか、又はカメラを収納した状態では操作性が悪いという問題がある。
本発明はこのような事情に鑑みてなされたもので、カメラの着脱時等にカバーが邪魔にならず、またカメラの記録媒体の交換、カメラのバッテリーの交換や充電等を、カメラを防水パックから完全に取り外さない状態で操作性よく行うことができるカメラの防水パックを提供することを目的とする。
【０００６】
【課題を解決するための手段】
上記目的を達成するために、本願請求項１に係る発明は、背面が開口され、カメラを収納する防水パック本体と、前記防水パック本体の背面を開閉するカバーであって、前記防水パック本体の背面の側部にヒンジを介して回動自在に配設され、閉成時に水密性をもたせるカバーと、前記カバーの閉成時に該カバーをロックするロック手段と、前記カメラの三脚ネジ穴と螺合するカメラ取付ネジを有し、該カメラ取付ネジを前記カメラの三脚ネジ穴に螺合させることにより、前記カメラが取り付けられるカメラ取付部材であって、前記防水パック本体内に配設されるとともに、一端が前記ヒンジの軸と平行な回転軸を中心として回動自在に支持されたカメラ取付部材と、前記カバーが開放されると、前記カメラ取付部材が前記カバーと同一方向に回動して、該カメラ取付部材に取り付けられた前記カメラが前記防水パック本体内から突出するように前記カメラ取付部材を付勢する付勢手段と、を備えたことを特徴とする。
【０００７】
本願請求項１、３に係る発明によれば、前記カバーを所定の開放角度でそのカバーの自重にかかわらず静止させることができ、カメラの着脱時等にカバーが邪魔にならない。また、本願請求項２、３に係る発明によれば、前記カバーを開けると、防水パック本体内のカメラが自動的に所定の位置まで移動するため、防水パック本体からカメラを完全に取り外さなくてもカメラの記録媒体の交換、カメラのバッテリーの交換や充電等を操作性よく行うことができる。
【０００８】
尚、前記カバー保持手段は、本願請求項４に示すように前記カバーの１又は複数の回動位置でクリック係合するクリック機構、前記カバーの回動動作に対して所定の摩擦抵抗を有するフリクション手段、及び前記カバーの１又は複数の回動位置で前記カバーの回動動作をロックするロック機構のうちのいずれか１つを含んで構成される。また、前記カメラ移動手段は、本願請求項５に示すように前記防水パック本体内で移動自在に配設され且つ前記カメラの三脚ネジ穴と螺合するカメラ取付ネジを有するカメラ取付部材と、前記防水パック本体内から前記カメラが突出するように前記カメラ取付部材を付勢する付勢手段とから構成されている。更に、本願請求項５に示すカメラ移動手段は、本願請求項６に示すように前記カメラ取付部材が前記カメラの記録媒体の交換可能な位置まで突出すると、該カメラ取付部材の突出を一旦停止させるストッパを有していてもよい。また、前記カメラ移動手段の他の実施の形態としては、本願請求項７に示すように前記防水パック本体内で移動自在に配設され且つ前記カメラの三脚ネジ穴と螺合するカメラ取付ネジを有するカメラ取付部材と、該カメラ取付部材と前記カバーとの間に設けられたリンク機構とから構成されている。
【０００９】
【発明の実施の形態】
以下添付図面に従って本発明に係るカメラの防水パックの好ましい実施の形態について詳説する。
図１及び図２はそれぞれ本発明に係るカメラの防水パックを前方及び後方から見た斜視図であり、図３は図２に示した防水パックのカバーを開けた状態を示す斜視図である。
【００１０】
これらの図面に示すように、この防水パック１０は、主として防水パック本体１２と、ヒンジ１４により防水パック本体１２に対して回動自在に配設されたカバー１６とから構成されており、図４に示すデジタルカメラ１８を収納することにより全体として防水型デジタルカメラとして機能できるようになっている。
図１に示すように、防水パック本体１２の前面には、デジタルカメラ１８の撮影レンズに対向する位置に保護ガラス２０が水密性をもって固定されている。即ち、図５に示すように保護ガラス２０と、防水パック本体１２の外装ケース２２との間にはＯリング２４が配置されており、保護ガラス２０は、外装ケース２２に固定された押え部材２６によってＯリング２４に押し付けられている。
【００１１】
また、防水パック本体１２の前面には、防水パック本体１２に内蔵されたストロボ装置２８の発光窓３０、及び発光量調整用の調光センサの受光窓３２が設けられている。
防水パック本体１２の上面には、シャッタボタン３４と、デジタルカメラ１８の各種の状態を表示する液晶表示パネルを透視するための透明窓部３６と、防水構造の光学ファインダ（図示せず）を取り付けるための取付けシュー３８とが設けられている。また、防水パック本体１２の図１上の右側面には、カバー開つまみ４０が設けられている。
【００１２】
図３に示すように、防水パック本体１２の内側には、デジタルカメラ１８を収納するカメラ収納部４２と、防水パック１０の電源として使用されるバッテリー４４（複数本の電池を収納する電池ケース又は専用の二次電池）を収納するバッテリー収納部４６とが形成されている。
また、防水パック本体１２の内側には、デジタルカメラ１８を取り付けるためのカメラ取付部材４８が防水パック本体１２に対して回動自在に配設されている。このカメラ取付部材４８は、デジタルカメラ１８の三脚ネジ穴と螺合するカメラ取付ネジ５０と、デジタルカメラ１８の回り止め及び位置決め用のピン５２とが設けられており、これらのカメラ取付ネジ５０及びピン５２によって図４に示すようにデジタルカメラ１８を固定できるようになっている。また、カメラ取付部材４８の先端には、防水パック本体１２に配設されたコイルバネ５４の上端に当接する係合部４８Ａが形成されている（図４及び図６参照）。
【００１３】
上記構成によってカメラ取付部材４８は、カバー１６が開放されると、カメラ取付部材４８の先端がコイルバネ５４によって図４及び図６に示す位置まで押し上げられる。即ち、カメラ取付部材４８は、カバー１６が開放されると、コイルバネ５４の付勢力によって図６に示す回動軸４９を中心にして自動的に回動し、デジタルカメラ１８を所定の位置まで押し上げる。
【００１４】
更に、防水パック本体１２の内側には、図５に示すようにワイドコンバージョンレンズ５６を取り付けるための取付部５８が設けられている。即ち、取付部５８は、防水パック本体１２の外装ケース２２の内側に固定されており、この取付部５８には、ワイドコンバージョンレンズ５６の外周に形成された雄ネジ５６Ａと螺合する雌ネジ５８Ａが形成されている。これにより、ワイドコンバージョンレンズ５６を取付部５８に取り付けることにより、通常の撮影よりもワイド撮影が可能になる。
【００１５】
一方、図２に示すようにカバー１６の背面には、デジタルカメラ１８の背面に設けられた撮影画像、再生画像等を表示する液晶モニタ６０（図４参照）を透視するための透明窓部６２、電源スイッチ６４、モードダイヤル６６、露出補正ボタン６８、ストロボボタン７０、及び表示ボタン７２が設けられている。
また、図３に示すようにカバー１６の内側には、防水用のパッキング７４、閉成時にカバー１６をロックするためのフック７５等が設けられている。このカバー１６は、前述したようにヒンジ１４により防水パック本体１２に対して開閉自在に配設されており、閉成時にカバー１６のフック７５が防水パック本体１２側の係合部（図示せず）と係合し、この状態でパッキング７４により防水パック本体１２内の水密性を保持できるようになっている。尚、カバー１６がロックされている場合に、図３に示すようにカバー開つまみ４０を起こし、反時計回り方向に回すと、カバー１６のロックを解除することができる。
【００１６】
図７は防水パック１０のヒンジ１４を含む要部断面図である。同図に示すように、ヒンジ１４の軸１４Ａの外周にはフリクション部材７６が配設されており、このフリクション部材７６による摩擦力により、カバー１６の自重にかかわらずカバー１６を任意の角度で静止させることができるようになっている。尚、フリクション部材７６としては、カバー１６に設けられたパッキング７４と同様な材質のものを使用することができ、これによればヒンジ１４の軸１４Ａの周囲を防水構造にすることができる。また、図７上の７７は、カバー１６に設けられたパッキング７４が当接する防水パック本体１２に形成された凸部を示す。
【００１７】
また、カバー１６の背面に設けられたモードダイヤル６６及び各種のボタンは、図３に示すフレキシブル配線パターン７８を介して図示しないコントロール回路と接続されており、また、防水パック本体１２の上面に設けられたシャッタボタン３４もコントロール回路に接続されている。このコントロール回路は、これらのボタン類の操作に応じたコントロール信号を、リモートコントロールケーブル８０を介してデジタルカメラ１８に出力する。即ち、リモートコントロールケーブル８０はプラグ８０Ａを有しており、このプラグ８０Ａは、図４に示すようにデジタルカメラ１８のデジタル入出力端子に差し込まれる。
【００１８】
尚、図４において、８２はビデオ出力端子、８４はＤＣ入力端子、８６はスマートメディア（メモリカード）の挿入口を開閉するスマートメディアカバー、８８はデジタルカメラ１８側のモードダイヤルである。
次に、上記ボタン類の操作に応じたデジタルカメラ１８の制御について説明する。
【００１９】
まず、図２に示す電源スイッチ６４を図２上で上方にスライドさせると、デジタルカメラ１８の電源が入り、再度電源スイッチ６４を上方にスライドさせると、デジタルカメラ１８の電源が切れる。モードダイヤル６６は、撮影した画像を再生する再生モード、撮影状況に応じて露出とフォーカスを自動的に制御する通常（ＡＵＴＯ）撮影モード、フォーカスを遠景（約５ｍ）に固定する遠景固定撮影モード、フォーカスを近景（約１．２ｍ）に固定する近景固定撮影モード、及び１０〜７０ｃｍまでの近距離撮影ができるマクロ撮影モードのうちのいずれかをダイヤル位置によって選択するものである。
【００２０】
また、露出補正ボタン６８を押しながらシャッタボタン３６を半押しすると、＋１．６Ｅｖの露出補正が行われる。更に、この防水パック本体１２に内蔵されたストロボ装置２８は、通常は低輝度又は逆光時に自動発光するオートモードになっているが、ストロボボタン７０をワンプッシュする毎にオートモードから順次強制発光モード、発光停止モード、オートモードに切り換えられる。尚、上記露出補正ボタン６８及びストロボボタン７０は、それぞれ再生モード時に１コマ順送り及び１コマ逆送りを指令するボタンとして兼用されている。また、モードダイヤル６６によってＡＵＴＯ撮影モードが選択されているときに表示スイッチ７２を押すと、液晶モニタ６０にスルー画が表示され、液晶モニタ６０を見ながら撮影を行うことができる。
【００２１】
次に、上記構成の防水パック１０の作用について説明する。
まず、この防水パック１０にデジタルカメラ１８を収納する場合には、図３に示すカメラ取付部材４８にカメラ取付ネジ５０及びピン５２によってデジタルカメラ１８を固定し、続いて図４に示すようにリモートコントロールケーブル８０のプラグ８０Ａをデジタルカメラ１８のデジタル入出力端子に差し込む。尚、リモートコントロールケーブル８０が短い場合には、図４又は図６に示す状態までデジタルカメラ１８を入れ、プラグ８０Ａをデジタル入出力端子に差し込む。
【００２２】
その後、図４又は図６に示すようにデジタルカメラ１８が傾いている状態（即ち、コイルバネ５４の付勢力によってデジタルカメラ１８が所定の位置まで押し上げられている状態）で、カバー１６のフック７５が防水パック本体１２側の係合部に係合するまで（「カチッ」という音がするまで）カバー１６を閉じる。
このカバー１６の閉動作に伴って、デジタルカメラ１８はコイルバネ５４の付勢力に抗してカバー１６により押下され、防水パック本体１２のカメラ収納部４２の所定位置に収納される。尚、デジタルカメラ１８は、コイルバネ５４の付勢力によってカバー１６側に押圧されているため、カメラ収納部４２内でガタつくことがない。
【００２３】
一方、防水パック１２に収納されたデジタルカメラ１８内のバッテリー（図示せず）を充電する場合、デジタルカメラ１８のスマートメディアを交換する場合には、図３に示すようにカバー開つまみ４０を起こし、反時計回り方向に回してカバー１６のロックを解除する。このカバー１６のロックが解除されてカバー１６が開放されると、図４又は図６に示すようにコイルバネ５４の付勢力によってカメラ取付部材４８が回動軸４９（図６参照）を中心にして自動的に回動し、これによりデジタルカメラ１８は図４又は図６に示す位置まで押し上げられる。図４に示すように、この状態のデジタルカメラ１８は、デジタルカメラ１８の一方の側面（デジタル入出力端子、ビデオ出力端子８２、ＤＣ入力端子８４、及びスマートメディアカバー８６が設けられている側面）が、防水パック本体１２から露出するように傾いて停止している。
【００２４】
従って、デジタルカメラ１８を防水パック１０から完全に取り出さずに図４に示す状態のままで、デジタルカメラ１８のＤＣ入力端子８４にＡＣパワーアダプタのプラグ（図示せず）を差し込むことにより、デジタルカメラ１８内のバッテリーを充電することができ、また、スマートメディアカバー８６を開けてスマートメディアの交換もできる。更に、ビデオ出力端子８２にビデオケーブルのプラグを接続することによりモニタテレビ等にビデオ出力したり、デジタル入出力端子にリモートコントロールケーブル８０のプラグ８０Ａの代わりに、パソコンとの接続を行うための専用接続ケーブルのプラグを接続することによりパソコンにデジタル出力することができる。
【００２５】
また、デジタルカメラ１８を防水パック１０から完全に取り出す場合には、図４又は図６に示す状態でリモートコントロールケーブル８０のプラグ８０Ａを外し、少なくともカメラ取付ネジ５０の操作が可能な位置までカメラ取付部材４８（デジタルカメラ１８）を手動で回動させ、カメラ取付ネジ５０を回転させてカメラ取付部材４８からデジタルカメラ１８を外す。
【００２６】
ところで、上記各種ケーブルのプラグの着脱やスマートメディアの交換、あるいはデジタルカメラ１８の着脱に際し、カバー１６は図７で説明したようにフリクション部材７６による摩擦力によって任意の角度で静止可能になっているため、カバー１６が邪魔にならず安定した状態で行うことができる。尚、カバー１６を開ける場合には、通常、水滴を拭いてから開けるが、カバー１６に付着している水滴が防水パック本体１２内に入らないようにカバー１６の周囲に水滴のガイド溝等を設けてもよい。
【００２７】
図８、図９、図１０及び図１３はそれぞれ本発明に係るカメラの防水パックの第２乃至第５の実施の形態を示す要部断面図である。
図８に示す第２の実施の形態の防水パック９０は、図６に示した第１の実施の形態の防水パック１０と比較して、カメラ取付部材４８の回動を一旦停止させるストッパ９１を有する点で相違する。尚、図８上で、図６に示した防水パック１０と共通する部分には同一の符号を付し、その詳細な説明は省略する。
【００２８】
図８に示すストッパ９１は、捩じりバネ９２によって図８上で時計回り方向に付勢されており、カメラ取付部材４８の係合部４８Ａと係合可能になっている。従って、カバー１６が開放されると、カメラ取付部材４８は、コイルバネ５４の付勢力によって回動軸４９を中心にして時計回り方向に回動するが、カメラ取付部材４８の係合部４８Ａがストッパ９１に係合し、その回動が規制される。即ち、このストッパ９１によりカメラ取付部材４８の回動位置を所定の位置（図８に示す位置）に固定でき、前述した各種ケーブルのプラグの着脱やスマートメディアの交換等を安定した状態で行うことができる。
【００２９】
尚、カメラ取付部材４８を更に時計回り方向に回動させる場合には、ストッパ９１を捩じりバネ９２の付勢力に抗して反時計回り方向に回動させる。これにより、カメラ取付部材４８は図８上で更に時計回り方向に回動できるようになる。図９に示す第３の実施の形態の防水パック９３は、図８に示した第２の実施の形態の防水パック９０と比較して、コイルバネ５４の代わりに回動軸４９の回りに捩じりバネ９４が配設されている点で相違する。
【００３０】
上記構成によりカバー１６が開放されると、カメラ取付部材４８は、捩じりバネ９４の付勢力によって回動軸４９を中心にして時計回り方向に回動するが、ストッパ９１によってその回動位置が規制される。続いて、このストッパ９１を反時計回り方向に回動させると、カメラ取付部材４８は捩じりバネ９４の付勢力によって図９上で更に時計回り方向に回動する。
【００３１】
図１０に示す第４の実施の形態の防水パック９５は、図６に示した第１の実施の形態の防水パック１０と比較して、コイルバネ５４の代わりにカバー１６とカメラ取付部材４８との間にリンク９６、９７が設けられた点で相違する。
これによりカバー１６を開放すると、カバー１６からリンク９６、９７を介してカメラ取付部材４８に回動力が伝達され、カバー１６の開放に伴ってカメラ取付部材４８も回動する。また、カバー１６を任意の角度に回動させたのち、カバー１６から手を離してもヒンジ１４に設けられたフリクション部材７６（図７参照）によりその回動位置が保持されるようになっている。
【００３２】
尚、ヒンジ１４に設けたフリクション部材７６の代わりに、図１１に示すようにリンク９６とリンク９７の間にフリクション部材７６’を設けるとともに、カメラ取付部材４８の回動軸４９にもフリクション部材を設けるようにしてもよい。更に、図１１に示したフリクション部材７６’の代わりに１又は複数の回動位置でクリック係合するクリック機構を設けてもよい。このクリック機構としては、図１２に示すようにリンク９６’に弾性をもった凸部９６Ａを形成するとともに、リンク９７’に前記凸部９６Ａが落ち込む１又は複数の凹部９７Ａを形成し、リンク９６’とリンク９７’とが所定の角度になると、凸部９６Ａが凹部９７Ａに落ち込んで固定するものが考えられるが、クリック機構はこれに限定されない。また、この種のクリック機構は、ヒンジ１４に設けたフリクション部材７６の代わりに設けてもよいし、カメラ取付部材４８の回動軸４９に設けてもよい。
【００３３】
図１３に示す第５の実施の形態の防水パック９８は、図１０に示した第４の実施の形態の防水パック９５と比較して、リンク９６、９７の代わりにリンク９９と、リンク９９の一端９９Ａを案内するガイド溝４８Ｂとが設けられた点で相違する。
ガイド溝４８Ｂはカメラ取付部材４８に形成されており、その一端にはリンク９９の一端９９Ａが落ち込む凹部が形成されている。これによりカバー１６を開放すると、リンク９９の一端がガイド溝４８Ｂに沿って前記凹部に向かって移動するとともに、カメラ取付部材４８を回動させる。そして、リンク９９の一端が、図１３に示す位置に達し、この位置でカバー１６から手を離すと、リンク９９の一端が凹部に落ち込み、その回動位置が保持される。その後、図１３に示す位置から更にカバー１６を開放させると、リンク９９の一端は、ガイド溝４８Ｂに沿って戻るとともに、カメラ取付部材４８を更に回動させる。尚、カメラ取付部材４８の回転軸４９にはフリクション部材が設けられており、カバー１６の開閉によって回動させられた位置を保持できるようになっている。
【００３４】
上記第１乃至第５の実施の形態では、カメラ取付部材は回動軸によって防水パック本体に回動自在に配設されているが、これに限らず、カメラ取付部材をスライド自在に配設し、デジタルカメラをカメラ収納部に対して平行移動できるようにしてもよい。また、カメラ収納部に収納されるカメラは、デジタルカメラに限らず、銀塩カメラでもよく、この場合には、銀塩カメラを防水パックから完全に取り出さずにフイルム交換ができるように構成する。
【００３５】
更に、図５に示した防水パック本体１２の内側の取付部５８には、ワイドコンバージョンレンズ５６を取り付ける場合について説明したが、これに限らず、テレコンバージョンレンズや、ＮＤフィルタ、ＵＶフィルタ、特殊効果フィルタ等を取り付けてもよく、要はカメラの撮影レンズの前面に配置されるアクセサリー用の光学部材であれば如何なるものでもよい。また、取付部の取付方式もネジ式に限らず、他の取付方式を適用してもよし、予め着脱不能に固定してもよい。
【００３６】
次に、防水パック本体１２に内蔵されたストロボ装置２８について説明する。図１４は上記ストロボ装置２８の概要を示すブロック図である。同図に示すように、このスロトボ装置２８は、主としてストロボ制御回路１００、メインコンデンサ１０２、放電管１０４、同調センサ１０６、及び調光センサ１０８から構成されている。
【００３７】
このストロボ装置２８は、前述したようにストロボボタン７０の操作に応じて低輝度又は逆光時に自動発光するオートモード、強制発光モード、発光停止モードの切り換えが可能になっており、デジタルカメラ１８に内蔵のストロボ装置（図示せず）に比べて大発光量のストロボ光を発光することができるものである。また、ストロボ装置２８の電源は、防水パック１０に収納されたバッテリー４４（図４参照）から供給されるようになっている。このバッテリー４４を収納するバッテリー収納部４６は、図４に示すようにカバー１６のヒンジ１４が設けられている側とカメラ収納部を挟んで反対側に形成されており、これによりカバー１６に邪魔されずにバッテリー４４の交換ができるようになっている。
【００３８】
同調センサ１０６は受光素子からなり、デジタルカメラ１８が防水パック本体１２の所定位置に収納されたときに、デジタルカメラ内蔵のストロボ装置の発光窓の前方に位置するように配置されている。従って、デジタルカメラ内蔵のストロボ装置が発光すると、その発光を感知してデジタルカメラ内蔵のストロボ装置の発光に同期した受光信号をストロボ制御回路１００に出力する。
【００３９】
また、このデジタルカメラ１８は、防水パック１０に収納されていることを検知することができ、防水パック１０に収納されていることを検知すると、防水パックモードとなる。そして、防水パックモード時に内蔵のストロボ装置を発光させる場合には、デジタルカメラ１８は、内蔵のストロボ装置を前記同調センサ１０６が感知できる程度に微小発光させる。これにより、無駄なエネルギが消費されないようにし、また防水パック１０内での閃光の悪影響が生じないようにしている。尚、デジタルカメラ１８が防水パック１０に収納されているか否かの検知は、図３に示したピン５２がデジタルカメラ１８の底部に挿入されているか否かを検知する検知手段（例えば、ピン５２の有無によってＯＮ／ＯＦＦするスイッチ）によって行っている。また、デジタルカメラ１８は、防水パックモード時にリモートコントロールケーブル８０を介してコントロール信号を受入できるようになっている。
【００４０】
次に、上記ストロボ装置２８の作用について説明する。
いま、低輝度又は逆光時に自動発光するオートモードが選択され、かつデジタルカメラ１８によって測光した被写体輝度がストロボ発光を必要とする所定の輝度以下の場合には、デジタルカメラ１８は、シャッタボタン３４が押下されると、内蔵のストロボ装置を微小発光させる。
【００４１】
デジタルカメラ内蔵のストロボ装置が微小発光すると、防水パック１０に内蔵されたストロボ装置２８の同調センサ１０６が前記微小発光を感知し、デジタルカメラ内蔵のストロボ装置の発光に同期した受光信号をストロボ制御回路１００に出力する。ストロボ制御回路１００は、同調センサ１０６から受光信号を入力すると、放電管１０４をストロボ発光させるためのトリガー信号を出力し、メインコンデンサ１０２に蓄えた電気エネルギを放電管１０４に供給する。また、ストロボ制御回路１０４は、被写体からの反射光を受光する調光センサ１０８での受光量が所定量に達すると、放電管１０４への電気エネルギを遮断し、ストロボ発光を停止させる。
【００４２】
【発明の効果】
以上説明したように本発明に係るカメラの防水パックによれば、カバーの自重にかかわらず該カバーを任意の角度又は所定の開放角度で静止可能に保持できるように構成したため、カメラの着脱時等にカバーが邪魔にならないという利点がある。また、カバーを開放すると、該カバーの開放に伴って防水パック本体内に収納されたカメラを所定の位置まで自動的に突出させるようにしたため、カメラの記録媒体の交換、カメラのバッテリーの交換や充電、その他の各種ケーブルのプラグの着脱等を、カメラを防水パックから完全に取り外さない状態で操作性よく行うことができる。
【図面の簡単な説明】
【図１】図１は本発明に係るカメラの防水パックを前方から見た斜視図である。
【図２】図２は図１に示した防水パックを後方から見た斜視図である。
【図３】図３は図２に示した防水パックのカバーを開けた状態を示す斜視図である。
【図４】図４は本発明に係る防水パック本体にデジタルカメラが収納され、かつカバーが開放されている状態を示す斜視図である。
【図５】図５はワイドコンバージョンレンズ等の取付部の構成を説明するために用いた防水パック本体の要部断面図である。
【図６】図６は本発明に係る防水パックの第１の実施の形態を示す要部断面図である。
【図７】図７は本発明に係る防水パックのヒンジを含む要部断面図である。
【図８】図８は本発明に係る防水パックの第２の実施の形態を示す要部断面図である。
【図９】図９は本発明に係る防水パックの第３の実施の形態を示す要部断面図である。
【図１０】図１０は本発明に係る防水パックの第４の実施の形態を示す要部断面図である。
【図１１】図１１は図１０に示したリンク間のフリクション手段を説明するために用いた図である。
【図１２】図１２は図１０に示したリンク等に設けることができるクリック機構の一例を示す図である。
【図１３】図１３は本発明に係る防水パックの第５の実施の形態を示す要部断面図である。
【図１４】図１４は防水パックに内蔵されたストロボ装置の概要を示すブロック図である。
【符号の説明】
１０、９０、９３、９５、９８…防水パック
１２…防水パック本体
１４…ヒンジ
１６…カバー
１８…デジタルカメラ
３４…シャッタボタン
４０…カバー開つまみ
４２…カメラ収納部
４８…カメラ取付部材
４８Ａ…係合部
４８Ｂ…ガイド溝
４９…回動軸
５０…カメラ取付ネジ
５２…ピン
５４…コイルバネ
５８…取付部
５８Ａ…雌ネジ
６４…電源スイッチ
６６…モードダイヤル
６８…露出補正ボタン
７０…ストロボボタン
７２…表示ボタン
７４…パッキング
７５…フック
７６、７６’…フリクション部材
８０…リモートコントロールケーブル
８２…ビデオ出力端子
８４…ＤＣ入力端子
８６…スマートメディアカバー
９１…ストッパ
９２、９４…捩じりバネ
９６、９６’、９７、９７’、９９…リンク
９６Ａ…凸部
９７Ａ…凹部
【図１】
0003856063.tif 000002
【図２】
0003856063.tif 000003
【図３】
0003856063.tif 000004
【図４】
0003856063.tif 000005
【図５】
0003856063.tif 000006
【図６】
0003856063.tif 000007
【図７】
0003856063.tif 000008
【図８】
0003856063.tif 000009
【図９】
0003856063.tif 000010
【図１０】
0003856063.tif 000011
【図１１】
0003856063.tif 000012
【図１２】
0003856063.tif 000013
【図１３】
0003856063.tif 000014
【図１４】
0003856063.tif 000015